(57)【特許請求の範囲】
【請求項１】
遊技機の裏面側に取り付けられ、回路基板の回路基板側コネクタを露出させるためのコネクタ挿入孔を有し、該コネクタ挿入孔から前記回路基板側コネクタを露出させた状態で前記回路基板を収容するケース本体と、
前記回路基板側コネクタに接続される配線側コネクタの配線を導出させる導出孔を有し、前記ケース本体に取り付けられることによって、前記導出孔から前記配線を導出させた状態で、前記回路基板側コネクタと前記配線側コネクタとの接続部分を覆うカバーと、を備えた遊技機の回路基板用ケースにおいて、
前記カバーは、
前記ケース本体における前記コネクタ挿入孔が設けられている所定面に沿う一の方向の一方側に向けてスライドさせることによって、該ケース本体に取り付けられ、
前記所定面に対向する面に設けられて、前記回路基板側コネクタに接続された前記配線側コネクタの前記配線を該カバー内に受け入れる第一の開口と、前記一の方向の前記一方側の先端面に設けられて、前記第一の開口に連通する第二の開口と、を有し、
前記導出孔は、
前記第二の開口に連通して、前記一の方向の他方側に向かって直線状に延び、
前記ケース本体は、
該ケース本体に取り付けられた前記カバーの前記第二の開口を覆う板部を有することを特徴とする遊技機の回路基板用ケース。
【請求項２】
前記導出孔は、
前記カバーにおいて、前記第一の開口が設けられている面に対向する面に設けられていることを特徴とする請求項１記載の遊技機の回路基板用ケース。
【発明の詳細な説明】
【０００１】
【発明の属する技術分野】
本発明は、パチンコ機等の遊技機の裏面側に取り付けられる回路基板用ケースに関する。
【０００２】
【従来の技術】
パチンコ機の裏面側には、各種回路基板がそれぞれ略直方体状のケース内に収納された状態でビス止め等により取り付けられている。各種回路基板同士は配線を介して接続され、具体的には回路基板側のコネクタに配線側のコネクタを差し込んで接続するようにしている。
【０００３】
ところで、配線側コネクタを回路基板側コネクタに接続する際には当然に回路基板側のコネクタはケースから露出していることが必要となるが、接続後においては、配線側コネクタを抜いて回路基板側のコネクタに別のパーツ（例えば出玉調整用パーツ等）を接続する等の不正行為を防止するために、回路基板側コネクタと配線側コネクタとの接続部分をカバーで覆って外部から配線側コネクタの抜き差しができないうにようにする必要が生じてくる。
【０００４】
このような対策を施した回路基板用ケースとしては、例えば特開平２−１３６１５６号公報に記載のものが提案されている。
この回路基板用ケースは遊技機の裏面側に取り付けられるケース本体を備えており、該ケース本体は略直方体状に形成されて端部に段差状の開口部が形成されている。ケース本体内には、回路基板が該ケース本体の端部開口からコネクタを露出させた状態で収納されている。回路基板側コネクタには配線側コネクタが接続されており、かかる接続後においては、ケース本体の端部開口にカバーを取り付けて該接続部分を覆うようにしている。
【０００５】
ケース本体の端部開口にカバーを取り付けるに際しては、ケース本体の端部側の側面のみに開口を残すようにして該ケース本体の上面板にカバーをビス止めにより取り付けており、ケース本体の端部側側面の開口が配線を外部に導出するための導出部とされている。
【０００６】
【発明が解決しようとする課題】
しかしながら、上記従来のパチンコ機の回路基板用ケースにおいては、ケース本体の上面板にカバーをビス止めにより取り付けているため、不正行為者側から見れば、ねじ回し工具でビスを緩めてカバーを簡単に取り外すことが可能で比較的容易に配線側コネクタを抜いて回路基板側のコネクタに別のパーツを接続することができる反面、修理等の正当な理由でパチンコ機の裏面側からケースを外してコネクタ等の修理や交換等を行う際には、ねじ回し工具でビスを緩めてカバーを取り外し、修理後に再度ねじ回し工具を用いてカバーをケース本体にビス止めする作業が非常に面倒になるという相反した問題が生じてくる。
【０００７】
本発明はこのような不都合を解消するためになされたものであり、遊技機の裏面側に取り付けられた状態ではケース本体からカバーを取り外し難くして不正行為を良好に防止することができると共に、遊技機の裏面側から取り外した状態ではケース本体からカバーを簡単に取り外すことができるようにして修理等の際のカバーの着脱作業の容易化を図ることができる遊技機の回路基板用ケースを提供することを目的とする。
【０００８】
【課題を解決するための手段】
上記目的を達成するために、請求項１に係る遊技機の回路基板用ケースは、遊技機の裏面側に取り付けられ、回路基板の回路基板側コネクタを露出させるためのコネクタ挿入孔を有し、該コネクタ挿入孔から前記回路基板側コネクタを露出させた状態で前記回路基板を収容するケース本体と、前記回路基板側コネクタに接続される配線側コネクタの配線を導出させる導出孔を有し、前記ケース本体に取り付けられることによって、前記導出孔から前記配線を導出させた状態で、前記回路基板側コネクタと前記配線側コネクタとの接続部分を覆うカバーと、を備えた遊技機の回路基板用ケースにおいて、前記カバーは、前記ケース本体における前記コネクタ挿入孔が設けられている所定面に沿う一の方向の一方側に向けてスライドさせることによって、該ケース本体に取り付けられ、前記所定面に対向する面に設けられて、前記回路基板側コネクタに接続された前記配線側コネクタの前記配線を該カバー内に受け入れる第一の開口と、前記一の方向の前記一方側の先端面に設けられて、前記第一の開口に連通する第二の開口と、を有し、前記導出孔は、前記第二の開口に連通して、前記一の方向の他方側に向かって直線状に延び、前記ケース本体は、該ケース本体に取り付けられた前記カバーの前記第二の開口を覆う板部を有することを特徴とする。
【０００９】
請求項２に係る回路基板用ケースは、請求項１において、前記導出孔は、前記カバーにおいて、前記第一の開口が設けられている面に対向する面に設けられていることを特徴とする。
【００１０】
【発明の実施の形態】
以下、本発明の実施の形態の一例を図を参照して説明する。図１は本発明の実施の形態の一例であるパチンコ機の制御回路基板用ケースを説明するための分解斜視図、図２はケース本体の上ケースに制御回路基板を装着した状態を説明するための説明的斜視図、図３は制御回路基板が装着された上ケースを下ケースに装着した状態を説明するための説明的斜視図、図４は制御回路基板側のコネクタに配線側コネクタを接続した状態を説明するための説明的斜視図、図５はケース本体にカバーを装着した状態を説明するための説明的斜視図、図６はケース本体とカバーとの間を封印シールによって封印した状態を説明するための説明的斜視図である。なお、この実施の形態では、パチンコ機の裏面側に取り付けられる各種回路基板用ケースの内で制御回路基板を収納するケースに本発明を適用した場合を例に採る。
【００１１】
図１を参照して、この制御回路基板用ケース１は、制御回路基板２が収納されるケース本体３と、制御回路基板２のコネクタ４と配線側コネクタ５との接続部分を覆うカバー６と、カバー６とケース本体３との間を封印する封印シール７とを備えており、制御回路基板２は長方形の板状をなして長辺側の縁部に複数（図では３個）のコネクタ４が長辺方向に沿って所定の間隔で取り付けられている。なお、制御回路基板２のコネクタ４以外の部品等の図示はここでは省略する。
【００１２】
ケース本体３は、上ケース９と、下ケース１０とを備えている。
上ケース９は下面側が開口された略直方体の箱状部１１と、該箱状部１１の長辺側の側面下部に該長辺方向に沿って設けられた薄板部１２とを有しており、薄板部１２の下面には凹部（図示せず。）が形成されている。凹部の深さは制御回路基板２の板厚と略同一とされており、該凹部と箱状部１１の下面側開口とによって形成される上ケース９の下面側の長方形状の凹状領域に制御回路基板２が嵌め込まれるようになっている。薄板部１２には、上ケース９の下面側に制御回路基板２を嵌め込んだ際にコネクタ４を挿通可能になす挿通穴１３がコネクタ４の数及び大きさに応じて形成されている。
【００１３】
また、箱状部１１の長手方向の両端面（短辺側）下部及び薄板部１２の長手方向の両端部にはスライド用の凸条１４が短辺方向に沿って形成されており、薄板部１２の長手方向の一端側に位置するスライド用凸条１４には部分的な切欠部１５が形成されている。
箱状部１１の長手方向の他端側の上面からは板状延出部１６が薄板部１２と略平行に延びており、また、該板状延出部１６の箱状部１１の長手方向の他端側の側部からは裏板１７が下方に延びてその先端が薄板部１２まで達している。裏板１７は、箱状部１１の長手方向の他端側の面と面一とされている。板状延出部１６の延出端からは側板１８が下方に延びてその先端が薄板部１２の上面の手前まで達しており、従って、側板１８の先端と薄板部１２の上面との間には若干のすき間１９が形成されている。そして、板状延出部１６、裏板１７、側板１８及び箱状部１１の長辺側側面とによって、カバー６の先端部の挿入空間が形成されている。
【００１４】
箱状部１１の薄板部１２側の長辺側側面の上部には、断面略Ｔ字状のガイド溝２０が箱状部１１の長手方向の一端面から他端側に向けて直線状に形成されており、該ガイド溝２０の他端側は裏板１７まで達している。
一方、下ケース１０は、縦横寸法が上ケース９と略同等の長方形状のベース板２１を備えている。ベース板２１の長手方向の両端部には上ケース９のスライド用凸条１４がスライド可能に挿入される断面略Ｌ字状のガイド部材２２が短辺方向に沿って設けられており、ベース板２１の長手方向の一端側のガイド部材２２は上ケース９の箱状部１１の短辺長さと略同等とされている。ベース板２１の長辺側の側部にはカバー６用のガイド部材２３がベース板２１の長手方向に沿って設けられており、該ガイド部材２３の内側面にはガイド溝２４がベース板２１の長手方向の一端面から他端側に向けて直線状に形成されている。
【００１５】
ベース板２１の長手方向の一端側のガイド部材２２とカバー６用のガイド部材２３との間にはカバー６の挿入口２５が形成されており、該挿入口２５には上述した上ケース９のスライド用凸条１４の切欠部１５が配置されるようになっている。また、挿入口２５近傍のベース板２１の上面にはカバー６の係止突起３５（後述する。）が着脱可能に係止される係止穴２６が形成されている。
【００１６】
カバー６は、上ケース９の薄板部１２の縦横寸法と略同等の長方形状の上板２７と、該上板２７の幅方向の側部から下方に延びる側板２８と、上板２７及び側板２８の基端側のみに設けられた端板２９とを備えている。
上板２７の側板２８から離間する側の側部には、断面略Ｔ字状のスライド用凸条３１が上ケース９のガイド溝２０に対応して上板２７の基端部から先端側に向けて直線状に形成されている。なお、スライド用凸条３１及びガイド溝２０の断面形状は特に限定されず、適宜変更してもよい。上板２７の略中央部は先端面から基端側に向けて直線状に切り欠かれており、この切り欠き部分が配線３２を外部に導出するための導出部３３とされている。
【００１７】
側板２８の外面側の下部には、スライド用凸条３４が上述した下ケース１０のガイド溝２４に対応して側板２８の基端部から先端部に向けて直線状に形成されている。また、端板２９の外面側の下部には断面略Ｌ字状の突出片３４が設けられており、該突出片３４は下ケース１０のガイド部材２２と断面形状が同一とされて下ケース１０の挿入口２５を覆うようになっている。突出片２４の裏面側には下ケース１０のベース板２１上面に設けられた係止穴２６に着脱可能に係止される係止突起３５が形成されている。
【００１８】
次に、図１〜図６を参照して、上記構成の制御回路基板用ケース１の組立方法の一例を説明する。
まず、図１及び図２を参照して、上ケース９の下面側の長方形状の凹状領域に制御回路基板２を嵌め込んで薄板部１２の挿入穴１３にコネクタ４を挿入して該コネクタ４を露出させる。
【００１９】
次いで、図３を参照して、制御回路基板２が嵌め込まれた上ケース９のスライド用凸条１４を下ケース１０のガイド部材２２のＬ型溝に挿入して該上ケース９をスライドさせて下ケース１０に上ケース９を装着し、これにより、ケース本体３内に制御回路基板２がコネクタ４を露出させた状態で収納される。このとき、下ケース１０のベース板２１に設けられた係止穴２６は上ケース９の切欠部１５内に露出している。次いで、制御回路基板２側のコネクタ４に配線側コネクタ５を差し込んで接続する（図４参照）。
【００２０】
次いで、図５を参照して、ケース本体３の下ケース１０の挿入口２５からカバー６の先端を挿入して該カバー６をケース本体３の長辺方向に沿ってスライドさせ、これによりケース本体３にカバー６を装着する。かかる装着の際には、カバー６側のスライド用凸条３１及び３４の各先端側をそれぞれケース本体３側のガイド溝２４及び２０に挿入してこの状態でカバー６を先端側にスライドさせ、該スライド途中で配線側コネクタ５側の配線３２をカバー６の上板２７に形成された導出部３３の先端側切り欠き開口から該導出部３３に挿入する。
【００２１】
次いで、この状態でカバー６を該カバー６の突出片３４が下ケース１０のベース板２１に当接するまで更に先端側にスライドさせ、該カバー６の先端を上ケース９の板状延出部１６、裏板１７、側板１８及び箱状部１１の長辺側側面とによって形成される挿入空間に挿入する。このとき、カバー６のスライド用凸条３４の先端側は側板１８の先端と薄板部１２の上面との間のすき間１９を通るようになっている。これにより、ケース本体３にカバー６が装着されて制御回路基板２側のコネクタ４と配線側コネクタ５との接続部分がカバー６によって覆われるようになっている。ケース本体３にカバー６が装着された状態においては、カバー６側の係止突起３５がケース本体３側の係止穴２６に係止されてカバー６の仮止めがなされ、また、カバー６の突起片３４は挿入口２５に嵌め込まれてケース本体３側のガイド部材２２と面一とされ、端板２９はケース本体３の箱状部１１の短辺側端面と面一とされている。
【００２２】
次いで、図６を参照して、カバー６側の突起片３４とケース本体３側のベース板２１との間を封印シール７によって封印し、これにより、制御回路基板用ケース１の組み立てが完了する。
かかる構成の制御回路基板用ケース１においては、組み立て完了後、パチンコ機の裏面側にビス止め等により取り付けられ、コネクタ等の修理や交換等を行う際にはパチンコ機の裏面側から取り外される。
【００２３】
ここで、この実施の形態では、ケース本体３に対してカバー６を該ケース本体３の長辺方向に沿ってスライドさせることにより、ケース本体３にカバー６を装着するようにしているので、制御回路基板用ケース１をパチンコ機の裏面側に取り付けた状態では、ケース本体３からカバー６を取り外すためには該カバー６を装着方向と逆方向にスライドさせてケース本体３から引き抜くことになる。しかしながら、制御回路基板用ケース１をパチンコ機の裏面側に取り付けた状態においては、該ケース１の周囲に他のケースや部材等が多数配置されているため、カバー６を装着方向と逆方向にスライドさせると、カバー６が他のケース又は部材に干渉してカバー６をケース本体３から引き抜くことができなくなり、これにより、配線側コネクタ５を抜いて制御回路基板２側のコネクタ４に別のパーツを接続する等といった不正行為を防止することができる。
【００２４】
また、カバー６をケース本体３に装着した状態においては、カバー６側の係止突起３５がケース本体３側の係止穴２６に係止されてカバー６の仮止めがなされているため、カバー６をケース本体３から引き抜く際には、封印シール７を剥がした後にある程度強い力でカバー６を引き抜く必要があり、この結果、不正行為者が短時間で不正行為をしようとする心理的欲求を殺ぐことができる。
【００２５】
一方、修理等の正当な理由でコネクタ等の修理や交換等を行う際には、パチンコ機の裏面側から制御回路基板用ケース１を外し、次いで、封印シール７を剥がした後にある程度強い力でカバー６を引き抜いて制御回路基板２側のコネクタ４と配線側コネクタ５との接続部分を露出させ、修理後、上述したようにケース本体３側の挿入口２５からカバー６の先端を挿入して該カバー６をスライドさせることにより、ケース本体３にカバー６を簡単に装着することができるので、修理等の際のカバー６の着脱作業の容易化を図ることができる。
【００２６】
ケース本体３にカバー６を簡単に装着した後においては、カバー６側の突起片３４とケース本体３側のベース板２１との間を再度封印シール７によって封印してから、制御回路基板用ケース１をパチンコ機の裏面側に取り付ける。
【００２７】
【発明の効果】
上記の説明から明らかなように、本発明によれば、遊技機の裏面側に取り付けられた状態ではケース本体からカバーを取り外し難くして不正行為を良好に防止することができると共に、遊技機の裏面側から取り外した状態ではケース本体からカバーを簡単に取り外すことができるようにして修理等の際のカバーの着脱作業の容易化を図ることができるという効果が得られる。
【図面の簡単な説明】
【図１】本発明の実施の形態の一例であるパチンコ機の制御回路基板用ケースを説明するための分解斜視図である。
【図２】ケース本体の上ケースに制御回路基板を装着した状態を説明するための説明的斜視図である。
【図３】制御回路基板が装着された上ケースを下ケースに装着した状態を説明するための説明的斜視図である。
【図４】制御回路基板側のコネクタに配線側コネクタを接続した状態を説明するための説明的斜視図である。
【図５】ケース本体にカバーを装着した状態を説明するための説明的斜視図である。
【図６】ケース本体とカバーとの間を封印シールによって封印した状態を説明するための説明的斜視図である。
【符号の説明】
１…制御回路基板用ケース
２…制御回路基板（回路基板）
３…ケース本体
４…制御回路基板側コネクタ
５…配線側コネクタ
６…カバー
３２…配線
３３…導出部
【図１】
0004520020.tif 000002
【図２】
0004520020.tif 000003
【図３】
0004520020.tif 000004
【図４】
0004520020.tif 000005
【図５】
0004520020.tif 000006
【図６】
0004520020.tif 000007